(57)【要約】      （修正有）【課題】フレキシブル基板の長さを縮小し、製造難度を低下させ、製造コストを減少させることができるキーボードの発光装置を提供する。【解決手段】発光装置のベース１は、キーボード３下方に対向設置される光反射板１１、導光板１２及び遮光板１３が互いに積層される。光反射板１１及び導光板１２の少なくとも１つの側辺部又は角部には、少なくとも１組の発光部２を有するフレキシブル基板２１が装着される。フレキシブル基板２１の一方の側部には、外側に向かって多方向に配列される複数の発光体２２が設けられる。フレキシブル基板２１の他方の側部には、ベース１外部に延伸する対向接続側２３が設けられる。対向接続側２３がキーボード３の配線に電気的に接続されることにより、複数の発光体２２に電力が供給され、発光面２２１から外側の各方向に光線が照射され、キーボード３が発光する。【選択図】図２
0003190166.tif 000002
【実用新案登録請求の範囲】
【請求項１】
ベース及び少なくとも１組の発光部を備えるキーボードの発光装置であって、
前記ベースは、キーボード下方に対向設置される光反射板、導光板及び遮光板が互いに積層され、前記光反射板には、少なくとも１つの中空の溝孔が設けられ、前記少なくとも１組の発光部は、前記光反射板の少なくとも１つの溝孔部分に装着され、前記光反射板の少なくとも１つの溝孔部分には、外側に延伸するフレキシブル基板が固定され、前記フレキシブル基板の一方の側部には、前記光反射板の少なくとも１つの溝孔部分に位置決めされる上、外側に向かって多方向に配列される複数の発光体が設けられ、前記フレキシブル基板の他方の側部には、前記ベース外部に延伸する対向接続側が設けられることを特徴とするキーボードの発光装置。
【請求項２】
前記ベースの光反射板の少なくとも１つの側辺部又は角部には、少なくとも１つの中空の溝孔が設けられることを特徴とする請求項１に記載のキーボードの発光装置。
【請求項３】
前記少なくとも１つの発光部の前記フレキシブル基板の一方の側部には、発光面が外側の方向に扇状、放射線状、矩形状又は多辺形状に多方向に配列される複数の発光体が設けられることを特徴とする請求項１に記載のキーボードの発光装置。
【請求項４】
前記少なくとも１組の発光部は、前記フレキシブル基板の一方の側部に設けられる上、前記ベースの光反射板の少なくとも１つの溝孔部分に装着される複数の発光体を有することを特徴とする請求項１に記載のキーボードの発光装置。
【請求項５】
前記少なくとも１組の発光部は、前記光反射板の一方の側辺の溝孔部分に装着される上、前記キーボードのスペースキー下方に対向する複数の発光体を有することを特徴とする請求項１に記載のキーボードの発光装置。
【請求項６】
前記発光部の前記キーボードのスペースキー下方に対向する複数の発光体は、発光面が外側の方向に扇状、放射線状、矩形状又は多辺形状に多方向に配列されることを特徴とする請求項５に記載のキーボードの発光装置。
【請求項７】
前記発光部のフレキシブル基板の一方の側部には、前記ベースの外側に延伸する対向接続側が設けられ、前記対向接続側は、複数のはんだ接合部、複数の端子又はコネクタであることを特徴とする請求項１に記載のキーボードの発光装置。
【考案の詳細な説明】
【技術分野】
【０００１】
本考案は、キーボードの発光装置に関し、特に、キーボードの少なくとも１つの側辺部又は角部から光線を照射する発光装置であって、積層状のベースの光反射板及び導光板の少なくとも１つの側辺部又は角部の位置に装着され、複数の発光体が外側に向かって多方向に配列されることにより、外部に光線を均一に照射し、キーボードを発光させる発光装置に関する。
【背景技術】
【０００２】
科学技術の進歩に伴い、各種の電子製品及び電気製品は、常に新製品が登場し続け、人々の生活及び仕事に利便性を提供している。しかし、各種の電子製品及び電気製品は、所定のデザイン及び外観を有し、所定の空間を占有するため、周辺の関連する電子製品及び電気製品又は他の物品も空間上の制限を受ける。
また、電子製品及び電気製品は、その外形寸法によって空間を占有する以外に、体積が大きいために重量が重く、使用上の利便性が低い場合がある。特に、ノート型パソコン、ＰＤＡ、タブレットコンピュータ、スマートフォンなどの携帯型の電子製品及び電気製品は、重量の問題の為に、携帯に不便な場合がある。
このため、各種の電子製品及び電気製品は、研究開発及び新設計が行われると同時に、改良も行われており、携帯に便利なように、軽薄短小化の理念の下、寸法が小型化及び軽量化されている。
【０００３】
現在、電子製品及び電気製品は、軽薄短小化が行われており、面積が縮小されているため、使用される回路基板、電子素子、コネクタなどの周辺設備も軽薄短小化させなければならない。また、ノート型パソコンに使用されるキーボードも、長さ、幅及び厚さを縮小し、ノート型パソコンの軽薄短小化に対応させなければならない。
そのため、キーボードは、各キー間の隙間が縮小されて緊密に配列されるため、キーボードを発光させる発光源を設置する空間も縮小されている。
【０００４】
図６に示すように、従来のキーボードＡは、周辺のセパレート板Ａ１の位置に帯状のフレキシブル基板Ｂが設置される。フレキシブル基板Ｂ上に複数の発光体Ｂ１が間隔をあけて配列されることにより、キーボードＡを発光させる光源が提供される。
或いは、図７に示すように、キーボードＡの中央の複数のキー間のセパレート板Ａ１間に連続して湾曲した形状のフレキシブル基板Ｂが設置される。また、フレキシブル基板Ｂの両側に複数の発光体Ｂ１が設置されることにより、キーボードＡを発光させる光源が提供される。キーボードＡの周辺に設置されるフレキシブル基板Ｂであれ、キー間に設置されるフレキシブル基板Ｂであれ、キーボードＡに十分な光源を提供するには、複数の発光体Ｂ１を設置する必要がある上、フレキシブル基板Ｂの長さを長くする必要がある。このため、フレキシブル基板Ｂ及び複数の発光体Ｂ１を設置するコストが高くなる。また、フレキシブル基板ＢをキーボードＡに組み合わせるための空間が狭いため、フレキシブル基板Ｂ上の複数の発光体Ｂ１を設置する面積が狭い。このため、複数の発光体Ｂ１を設置する作業の難度及びフレキシブル基板Ｂを成形する難度が高い。
【０００５】
そこで、キーボードのフレキシブル基板の寸法が縮小されることにより、複数の発光体を設置する難度及びフレキシブル基板の加工製造の難度が高く、加工コストが高い問題を解決することが求められていた。
【０００６】
本考案の考案者は、当該技術に長年従事しており、上述の問題及び欠点に鑑み、関連資料を収集し、試作及び改良を幾度も重ね、キーボードのベースの少なくとも１つの側辺部又は角部に少なくとも１組の発光部を設置し、発光部の複数の発光体が外側に向かって多方向に配列されることにより、発光体の使用数を減少させ、発光部のフレキシブル基板の製造コストを減少させることができるキーボードの発光装置を案出した。
【先行技術文献】
【特許文献】
【０００７】
【特許文献１】実用新案登録第３１７２６４８号公報
【考案の概要】
【考案が解決しようとする課題】
【０００８】
本考案の第１の目的は、発光装置のベースが光反射板、導光板及び遮光板が積層されて構成される上、キーボード下方に対向設置され、光反射板と導光板との間の周辺の少なくとも１つの側辺部又は角部には、少なくとも１組の発光部を有するフレキシブル基板が装着され、フレキシブル基板の一方の側部には、外側に向かって多方向に配列される複数の発光体が設けられ、フレキシブル基板の一方の側部は、光反射板と導光板との間の少なくとも１つの側辺部又は角部に位置決めされ、フレキシブル基板の他方の側部には、ベース外部に延伸する対向接続側が設けられ、対向接続側がキーボードの関連配線に電気的に接続されることにより、複数の発光体に電力を供給して外側の各方向に発光させ、光反射板によって光線を反射させ、導光板によってキーボード底部周辺に光線を均一にガイドし、遮光板の遮蔽部分によって光線を複数のキー下方に位置合わせし、これにより、キーボードを発光させることができる上、フレキシブル基板の長さを縮小し、製造難度を低下させ、製造コストを減少させることができるキーボードの発光装置を提供することにある。
【０００９】
本考案の第２の目的は、発光部のフレキシブル基板の一方の側部には、外側に向かって多方向に配列される複数の発光体が設けられ、複数の発光体は、扇状、放射線状、矩形状又は多辺形状に配列され、これにより、フレキシブル基板の長さを縮小し、加工製造難度を低下させ、製造コストを減少させることができ、フレキシブル基板の他方の側部には、ベース側辺から外部に延伸する対向接続側が設けられ、対向接続側は、複数のはんだ接合部、複数の端子又はコネクタであり、キーボードの配線に電気的に接続されるキーボードの発光装置を提供することにある。
【００１０】
本考案の第３の目的は、発光部がベースの光反射板及び導光板の一方の側辺に装着される上、キーボードのスペースキー下方部分に位置合わせされ、発光部の複数の発光体が外側に光線を照射し、複数の発光体から照射された光線は、導光板によってキーボード底部の各位置にガイドされ、遮光板上のキーボードの複数のキー間の隙間の位置に設けられる遮光縁部によって遮光板上の各中空領域からキーボードの各キー下方に照射され、キーボードを発光させるキーボードの発光装置を提供することにある。
【課題を解決するための手段】
【００１１】
上述の課題を解決するために、請求項１の考案は、ベース及び少なくとも１組の発光部を備えるキーボードの発光装置であって、ベースは、キーボード下方に対向設置される光反射板、導光板及び遮光板が互いに積層される。光反射板には、少なくとも１つの中空の溝孔が設けられ、少なくとも１組の発光部は、光反射板の少なくとも１つの溝孔部分に装着され、光反射板の少なくとも１つの溝孔部分には、外側に延伸するフレキシブル基板が固定され、フレキシブル基板の一方の側部には、光反射板の少なくとも１つの溝孔部分に位置決めされる上、外側に向かって多方向に配列される複数の発光体が設けられ、フレキシブル基板の他方の側部には、ベース外部に延伸する対向接続側が設けられることを特徴とするキーボードの発光装置である。
【００１２】
請求項２の考案は、ベースの光反射板の少なくとも１つの側辺部又は角部には、少なくとも１つの中空の溝孔が設けられることを特徴とする請求項１に記載のキーボードの発光装置である。
【００１３】
請求項３の考案は、少なくとも１つの発光部のフレキシブル基板の一方の側部には、発光面が外側の方向に扇状、放射線状、矩形状又は多辺形状に多方向に配列される複数の発光体が設けられることを特徴とする請求項１に記載のキーボードの発光装置である。
【００１４】
請求項４の考案は、少なくとも１組の発光部は、フレキシブル基板の一方の側部に設けられる上、ベースの光反射板の少なくとも１つの溝孔部分に装着される複数の発光体を有することを特徴とする請求項１に記載のキーボードの発光装置である。
【００１５】
請求項５の考案は、少なくとも１組の発光部は、光反射板の一方の側辺の溝孔部分に装着される上、キーボードのスペースキー下方に対向する複数の発光体を有することを特徴とする請求項１に記載のキーボードの発光装置である。
【００１６】
請求項６の考案は、発光部のキーボードのスペースキー下方に対向する複数の発光体は、発光面が外側の方向に扇状、放射線状、矩形状又は多辺形状に多方向に配列されることを特徴とする請求項５に記載のキーボードの発光装置である。
【００１７】
請求項７の考案は、発光部のフレキシブル基板の一方の側部には、ベースの外側に延伸する対向接続側が設けられ、対向接続側は、複数のはんだ接合部、複数の端子又はコネクタであることを特徴とする請求項１に記載のキーボードの発光装置である。
【考案の効果】
【００１８】
本考案は、主に、キーボードの発光装置に対する設計であり、遮光板、導光板および接合板が積層されて構成されるベースが利用される。光反射板の少なくとも１つの側辺部又は角部には、少なくとも１つの溝孔が設けられ、溝孔には、少なくとも１つの発光部が設置される。発光部のフレキシブル基板の一方の側部の発光体は、溝孔に固定される上、それぞれ、多方向に配列される。フレキシブル基板の他方の側部の対向接続側は、ベースの外側に延伸する。これにより、発光部のフレキシブル基板の長さ及び全体面積を縮小することができる。このため、フレキシブル基板の製造難度を低下させ、コストを減少させることができる。
また、発光部の複数の発光体が外側に光線を照射させると、ガイド板がベース表面まで光線を均一にガイドさせることができるため、陰影又は照明死角が発生しない。即ち、本考案のキーボードの発光装置は、ベース及び少なくとも１組の発光部がキーボード底部に装着されることにより、キーボードを発光させる目的が達成される。
【図面の簡単な説明】
【００１９】
【図１】本考案のキーボードの発光装置を示す斜視図である。
【図２】本考案のキーボードの発光装置を示す分解斜視図である。
【図３】本考案のキーボードの発光装置を示す横断面図である。
【図４】本考案のキーボードの発光装置の使用状態を示す平面図である。
【図５】本考案のキーボードの発光装置の使用状態を示す平面図である。
【図６】従来のキーボードの発光装置を示す平面図である。
【図７】従来のキーボードの発光装置を示す平面図である。
【考案を実施するための形態】
【００２０】
本考案の目的、特徴及び効果を示す実施形態を図面に沿って詳細に説明する。
【００２１】
図１は、本考案のキーボードの発光装置を示す斜視図である。図２は、本考案のキーボードの発光装置を示す分解斜視図である。図３は、本考案のキーボードの発光装置を示す横断面図である。図４は、本考案のキーボードの発光装置の使用状態を示す平面図である。図１〜図４に示すように、本考案の発光装置は、ベース１及び少なくとも１組の発光部２を含む。
【００２２】
ベース１は、光反射板１１、導光板１２及び遮光板１３が積層されて構成される。光反射板１１の少なくとも１つの側辺部又は角部には、中空の溝孔１１０が設けられる。遮光板１３上には、縦横に交差して配列する遮光縁部１３１が設けられる。複数の遮光縁部１３１間には、複数の中空領域１３２が形成される。
【００２３】
少なくとも１組の発光部２は、フレキシブル基板２１（ＦＰＣ）の一方の側部に、複数の発光体２２が設けられる。複数の発光体２２の発光面２２１は、外側に向かって多方向に配列される。フレキシブル基板２１の他方の側部には、対向接続側２３が設けられる。
【００２４】
上述の各部材を組み立てる際、ベース１の光反射板１１の少なくとも１つの側辺部又は角部に設けられる少なくとも１つの溝孔１１０に、少なくとも１組の発光部２を設置する。これにより、少なくとも１組の発光部２のフレキシブル基板２１の一方の側部の複数の発光体２２は、光反射板１１の少なくとも１つの溝孔１１０部分に設置される。フレキシブル基板２１の他方の側部の対向接続側２３は、ベース１外側に延伸し、ベース１及び少なくとも１組の発光部２によってキーボード３底部に対向設置される。即ち、本考案の発光装置は、ベース１及び少なくとも１組の発光部２によって構成される。
【００２５】
上述の少なくとも１組の発光部２は、フレキシブル基板２１の一方の側部に、複数の発光体２２が設けられる。複数の発光体２２の発光面２２１は、外側に向かって扇状、放射線状、矩形状又は多辺形状に多方向に配列され、光線を周囲の全方向に均一に照射し、陰影又は無発光部分が発生しない。複数の発光体２２は、ＬＥＤ、冷光板などである。フレキシブル基板２１の他方の側部の対向接続側２３は、複数のはんだ接合部、複数の端子又はコネクタであり、キーボードの配線に電気的に接続され、電源を取得してフレキシブル基板２１の一方の側部の複数の発光体２２に電源を供給し、発光面２２１から光線を照射する。
【００２６】
上述の発光部２は、フレキシブル基板２１の一方の側部の複数の発光体２２がベース１の少なくとも１つの側辺部又は角部の少なくとも１つの溝孔１１０に設置される上、フレキシブル基板２１の他方の側部の対向接続側２３がベース１外側に延伸するため、フレキシブル基板２１がキーボード３底部に進入する長さが減少される。これにより、フレキシブル基板２１の長さ及び全体面積を大幅に減少させることができる。また、フレキシブル基板２１の一方の側部に複数の発光体２２が設置され、発光体２２が外側に向かって多方向に配列されるため、発光体２２がフレキシブル基板２１を占有する面積が減少し、フレキシブル基板２１の製造難度を低下させ、フレキシブル基板２１の製造コストを減少させることができる。また、発光部２の体積を大幅に減少させることができるため、キーボード３を組み合わせる電子製品（ノート型パソコン、携帯電話、ＰＤＡなど）に求められる軽薄短小化に対応することができる。
【００２７】
図２〜図５を参照する。図２は、本考案のキーボードの発光装置を示す分解斜視図である。図３は、本考案のキーボードの発光装置を示す横断面図である。図４は、本考案のキーボードの発光装置の使用状態を示す平面図である。図５は、本考案のキーボードの発光装置の使用状態を示す平面図である。図２〜図５から分かるように、本考案の発光装置は、ベース１の光反射板１１の少なくとも１つの側辺部又は角部の溝孔１１０部分に、少なくとも１組の発光部２が設置される。これにより、ベース１及び少なくとも１組の発光部２は、キーボード３底部に対向設置される。フレキシブル基板２１の他方の側部の対向接続側２３は、キーボード３の配線に電気的に接続され、キーボード３の配線から電源が供給され、フレキシブル基板２１の一方の側部の複数の発光体２２が発光する。
【００２８】
複数の発光体２２の発光面２２１が外側に向かって多方向に配列されることにより、複数の発光体２２がベース１の少なくとも１つの側辺で発光し、導光板１２が光線を遮光板１３下方に均一にガイドする。また、遮光板１３上の複数の遮光縁部１３１がキーボード３の複数のキー３２間に形成される格子部３３に対向し、遮光板１３上の複数の中空領域１３２がキーボード３の各キー３２の真下に対向することにより、導光板１２によってガイドされる光線は、各中空領域１３２から各キー３２下方に集中して照射され、キーボード３の各キー３２の周辺から光線が放出され、キーボード３が発光する。
【００２９】
ベース１及び発光部２がキーボード３のスペースキー３１の下方部分に対向設置される上、発光部２の複数の発光体２２の発光面２２１が外側の方向に多方向に配列（扇状、放射線状、矩形状又は多辺形状）されることにより、複数の発光体２２は、発光面２２１から外側に光線を照射し、照明の死角及び陰影が発生しない。また、ベース１の導光板１２により、複数の発光体２２の光線は、遮光板１３の各中空領域１３２に均一にガイドされるため、光線は、各中空領域１３２からキーボード３の各キー３２周辺に集中して照射され、キーボード３は、良好な発光効果を有することができる。
【００３０】
以上の説明は、本考案の好適な実施形態を示すものであり、本考案の範囲を限定するものではない。本考案の発光装置は、光反射板１１、導光板１２及び遮光板１３が積層されて構成されるベース１を含み、光反射板１１の少なくとも１つの側辺部又は角部の少なくとも１つの溝孔１１０に、少なくとも１組の発光部２が設置される。少なくとも１組の発光部２のフレキシブル基板２１の一方の側部には、複数の発光体２２が設けられる。複数の発光体２２は、外側に向かって多方向に配列される。フレキシブル基板２１の他方の側部の対向接続側２３は、ベース１外側まで延伸する。
これにより、発光部２のフレキシブル基板２１の長さ及び全体面積を縮小することができ、フレキシブル基板２１の製造難度を低下させ、コストを減少させることができる。
【００３１】
また、フレキシブル基板２１の一方の側部の複数の発光体２２が外側に向かって多方向に配列されることにより、発光面２２１から光線が外側に照射される。また、ベース１の導光板１２が光線を遮光板１３の各中空領域１３２部分にガイドする。即ち、ベース１に組み合わされる少なくとも１組の発光部２がキーボード３底部に装着されることにより、キーボード３が発光機能を有する。ここで、前述の効果を実現することができる構造及び装置は、本考案に含まれ、簡易な修飾及び同等効果である変更は、何れも本考案の範囲に含まれる。
【００３２】
上述したことから分かるように、本考案は、主に、キーボードの発光装置に対する設計を提供するものであり、遮光板、導光板および接合板が積層されて構成されるベースが利用される。光反射板の少なくとも１つの側辺部又は角部には、少なくとも１つの溝孔が設けられ、溝孔には、少なくとも１つの発光部が設置される。発光部のフレキシブル基板の一方の側部の発光体は、溝孔部分に固定される上、それぞれ、多方向に配列される。
また、フレキシブル基板の他方の側部の対向接続側がベースの外側に延伸する。これにより、発光部のフレキシブル基板の長さ及び全体面積を縮小することができる。このため、フレキシブル基板の製造難度を低下させ、コストを減少させることができる。
また、発光部の複数の発光体が外側に光線を照射させると、ガイド板がベース表面まで光線を均一にガイドさせることができるため、陰影又は照明死角が発生しない。即ち、本考案のキーボードの発光装置は、ベース及び少なくとも１組の発光部がキーボード底部に装着されることにより、キーボードを発光させる目的が達成される。
【００３３】
ここで、上述の説明は、本考案の好適な実施形態を示すものであり、本考案の範囲を限定するものではない。また、本考案の明細書及び図面の内容を運用した簡易な修飾及び同等効果の構造の変更は、何れも本考案の範囲に含まれる。
【００３４】
本考案のキーボードの発光装置を実施することにより、所望の効果及び目的を確実に達成することができ、本考案は実用性の高い考案であり、実用新案の出願要件を満たすものである。
【符号の説明】
【００３５】
１  ベース
１１  光反射板
１１０  溝孔
１２  導光板
１３  遮光板
１３１  遮光縁部
１３２  中空領域
２  発光部
２１  フレキシブル基板
２２  発光体
２２１  発光面
２３  対向接続側
３  キーボード
３１  スペースキー
３２  キー
３３  格子部
Ａ  キーボード
Ａ１  セパレート板
Ｂ  フレキシブル基板
Ｂ１  発光体
【図１】
0003190166.tif 000003
【図２】
0003190166.tif 000004
【図３】
0003190166.tif 000005
【図４】
0003190166.tif 000006
【図５】
0003190166.tif 000007
【図６】
0003190166.tif 000008
【図７】
0003190166.tif 000009